(57)【要約】【課題】軽量化、堅牢さなどの観点から求められてきた竹製ブーメランであったが、維管束の方向に直交する曲げの力に対して脆弱であるという欠点があり、その課題の解決が求められてきた。【解決手段】本発明竹製ブーメランは、竹を維管束の方向に沿って横長に作製した複数の羽根の一端に、維管束の方向に直交する側への曲げの力に対して抗し得る形状の基部を形成し、この複数の羽根の基部相互を接着剤により接合して基本体を作製するとともに、この基本体の接合箇所を、ガラス繊維を湿潤させたプラスチックで覆うことを特徴としたものであり、維管束の方向に直交する側の力が加えられても十分対応できるものである。しかも軽量で操作がしやすく、安価で製作が容易な竹製ブーメランを提供する。【選択図】図１
2017023308.tif 000002
【特許請求の範囲】
【請求項１】
竹を維管束の方向に沿って横長に作製した複数の羽根の一端に、維管束の方向に直交する側への曲げの力に対して抗し得る形状の基部を形成し、この複数の羽根の基部相互を接着剤により接合して基本体を作製するとともに、この基本体の接合箇所を、ガラス繊維を湿潤させたプラスチックで覆うことを特徴とした竹製ブーメラン
【請求項２】
複数の羽根の基部を、中央に維管束の方向に平行な辺部を配するとともに、その両側に維管束の方向に直交する辺部を隣接することで形成した階段状の突出角部と凹陥角部を有する構成とし、一方の羽根の突出角部と相手方の羽根の凹陥角部を接合し、また一方の羽根の凹陥角部と相手方羽根の突出角部とを接合させて基本体を作製することを特徴とした請求項１の竹製ブーメラン
【請求項３】
複数の羽根の基部を、維管束の方向に対して傾斜した二つの辺部を山形状に接続した山形状突出部分と、この山形状突出部分を１８０度反転させた形状で、この山形状突出部分と同じく維管束の方向に対して傾斜した二つの辺部を接続してなるＶ字状凹陥部分とを連接した構成とし、一つの羽根の山形状突出部分を隣接する羽根のＶ字状凹陥部分に接合するとともに、一つの羽根のＶ字状凹陥部分を隣接する山形状突出部分に接合させて基本体を作製することを特徴とした請求項１の竹製ブーメラン
【発明の詳細な説明】
【技術分野】
【０００１】
本発明は、竹を使用して製造したブーメランに関するものである。
【背景技術】
【０００２】
ブーメラン（Ｂｏｏｍｅｒａｎｇ）は歴史的には、オーストラリアの先住民アポリジニーが狩猟用に用いた「く」の字形の木製飛び道具であるが、現在では「十」字形のものもあり、遊戯道具（飛翔道具）や競技用具（飛距離、正確さ、キャッチングなどを競う）、また民芸品（お土産品、嗜好品、屋内展示品）などとしても販売され使用されている。
これらブーメランの材料は、一般的には木材のほかプラスチック、紙（厚紙）などが使用されている。（特許文献１、特許文献２参照）
【先行技術文献】
【特許文献】
【０００３】
【特許文献１】特開２００５−１３０９０２号
【特許文献２】特開平８−１１２３８２号
【発明の概要】
【発明が解決しようとする課題】
【０００４】
しかしブーメランを木材で製造した場合には、重量が比較的大きいため扱いづらいという問題の他に、軽量化を意図して薄くした場合には、地面に落下したときなどに、その衝撃で破損してしまう、という問題を有していた。また紙（厚紙）で作製した場合には、軽量であることから、用途は風のない屋内用に限定しなければならないという問題があり、またプラスチックで作製したものにあっては、外気温が低い冬などでは、寒さで割れを生じてしまう（温度変化に弱い）という課題を有するほか、仕上げなどのための切削、加工作業が大変なことになるといった問題を有していた。
【０００５】
そこで、発明者はこれらの木材やプラスチック、紙（厚紙）などとは別に、ブーメランに適した素材として、入手が容易で、軽量でかつ堅牢、また加工の容易さ、しなやかさ、などの特性を持つ「竹」を素材として使用することに着目した。
【０００６】
これまで竹をブーメランの素材として使用することを考案したものとして、「中央部を削った３０ｃｍの竹定規を２枚用意し、これをその中央部で十字形に交差させて作成したブーメラン」が知られている。しかしこのブーメランは直径６０ｃｍという巨大なものとなるため、実用性についてはあまり考慮されていないものと思われる。
【０００７】
しかし、竹は本来軽量で高い堅牢性や加工の容易さなどの特性を有する素材であって、これを使用してブーメランを作製することは極めて有益なものである。しかしその竹製ブーメランもその構成を適正なものにしなければ、失敗をおかすことになる。
以下図４、図５によりその失敗例を紹介する。
（なお、図４、図５においては、素材である竹の特性を明らかにするため、羽根表面に表れる維管束を明示するようにしている）
先ず竹製ブーメランの作製を考える場合に、「竹は維管束繊維の方向に曲げることは極めて困難である（維管束の方向への曲げの力に対しては強力な対抗力を有している）」という竹の特性を考慮すれば、竹を曲げてブーメランを作製することはできず、真っ直ぐな（直線状の）竹をそのまま使用しなければならない。そのため、２枚羽根のブーメランを作製するときには、直線状の２枚の羽根を９０度の角度で接合し、また３枚羽根のブーメランを作製する場合には、直線状の３枚の羽根を１２０度の角度で接合しなければならない。
【０００８】
そこで竹を素材として作成した２枚羽根の場合を取り上げて、図４、図５により説明する。
図４（Ａ）で説明したものは、竹を維管束２の方向に沿って作製した横長の２枚の羽根３２、３３の基部（接合部）３４、３５を４５度の角度の辺に作成し、この両羽根３２、３３の基部３４、３５を接合した後、接着剤で固着して作製した２枚羽根のブーメランである。（Ｂ）は、このブーメランを使用したときに、地面に落下した場合などの衝撃や投擲時などの取り扱いのまずさなどから、２枚の羽根３２、３３が接合箇所で分裂してしまう可能性を有していることを示している。
【０００９】
また図５で示したものは、同じく竹を横長にして作製した２枚の羽根３６、３７を使用するが、この２枚の羽根３６、３７の接合をより強く確実にするために考えられたものである。この案によれば、両羽根の接合箇所となる４５度の傾斜面から成る基部３８、３９に建築分野において使用されている木材の接合方法（「腰掛蟻継ぎ」）を利用した構成（「ほぞ」、「ほぞ穴」に相当する部分を２箇所作製）を採用したことを特徴とし、接着剤の働きもあり強固な噛み合わせ結合を実現できる。（Ａ）はこの羽根接合部に噛み合わせ構造を採用した２枚羽根ブーメランを示している。しかし、この構成は羽根接合箇所がブーメランを使用している過程で破損する可能性を有している。
【００１０】
この図５（Ｂ）で示しているブーメランの破損は、以下に記すように竹が本来有する欠陥に由来する破損の状態を示すものである。
すなわち、竹は強靭な維管束鞘で覆われた無数の維管束２が軸方向に配されていることから、「軸方向の曲げの力には極めて強力な対抗力を有する反面、軸の方向（維管束２の方向）に直交する側への曲げの力には弱い」という欠点を有していることである。
【００１１】
このため図５（Ａ）のように、羽根３６、３７の製作に際して、木材の接合方法を利用した接合箇所では、特に「ほぞ」に相当する部分に維管束２の方向と平行する箇所があると、この「ほぞ」の小さな両端部が維管束２の方向に直交する曲げの力を受け、もろくも容易に維管束２の方向に沿って割れてしまうという欠点を露呈してしまうものである。
【００１２】
これは（Ｂ）で示したように、羽根３６、３７の接合箇所に２箇所の「ほぞ」、「ほぞ穴」相当部分があり、「ほぞ」の、「ほぞ穴」との係合機能を担う小さな両端部（三角形状となる箇所）に、過分の力（維管束２の方向に直交する曲げの力）が加わることによって、この小さな接合箇所（三角形状の箇所）が破損することが考えられる。
【００１３】
そこで竹を使用してブーメランを製作するときには、上記したような羽根接合箇所の問題を配慮する必要がある。
またこの図１、図２で提起された課題は、３枚羽根のブーメランを作成する場合にも同様に解決課題として挙げられるものである。
【００１４】
以上のことから竹を使用してブーメランを製造する場合の各羽根の基部を接合した接合部は、（１）基部を図４で示したように、単純な直線的な辺で接合した場合には、落下時の衝撃などで簡単に分解してしまうという問題と、（２）基部を図５で示したように、たとえば木組みで使用するような接合方法を利用しても、その接合箇所に竹の維管束方向に平行な箇所があり、その部分が小さなもので、かつ近隣に曲げの力に対抗できる手段が講じてない場合には、維管束の方向に直交する方向への曲げの力には弱いという問題があることを示している。したがって竹製のブーメランを作製するときには、竹製羽根の接合箇所に一層の工夫が必要である。
【課題を解決するための手段】
【００１５】
本発明は、竹製羽根の接合部（基部）を維管束方向に直交する側への曲げの力に対抗できる構成にして、かつその接合部をＦＲＰにより覆うことにより前記課題を解決した竹製のブーメランを提供するものである。
すなわち本発明は、竹を維管束の方向に沿って横長に作製した複数の羽根の一端に、維管束の方向に直交する側への曲げの力に対して抗し得る形状の基部を形成し、この複数の羽根の基部相互を接着剤により接合して基本体を作製するとともに、この基本体の接合箇所を、ガラス繊維を湿潤させたプラスチックで覆うことを特徴とした竹製ブーメランであり、竹を使用する場合の最大の問題点を解消し、かつ竹が本来有する軽量さ、高い堅牢性、加工の容易さなどの特性を有するものである。
【００１６】
本発明は維管束の方向に直交する側への曲げの力に対して抗し得る形状の基部を使用して、この問題を解決したものであるが、具体的には、２枚羽根の場合には、各羽根の基部に突出角部と凹陥角部を形成し、基本体作製時に一方の羽根の突出角部と相手方の羽根の凹陥角部とを接合し、一方の羽根の凹陥角部と相手方の羽根の突出角部とを接合させることで基本体を作製し、この基本体の各羽根の接合箇所をＦＲＰで覆うようにした構成の２枚羽根の竹製ブーメランを提供し、３枚羽根の場合には、各羽根の基部に、隣接して山形状突出部分とこの山形状突出部分を１８０度反転させた形状のＶ字状凹陥部分を設け、基本体作製時には、一つの羽根の山形状突出部分を隣接する羽根のＶ字状凹陥部分に接合するとともに、前記一つの羽根のＶ字状凹陥部分を隣接する羽根の山形状突出部分に接合させるようにした構成の竹製ブーメランを提供するものである。
【００１７】
この構成により作製した竹製ブーメランは、前記の課題を解消するともに、軽量で操作がしやすく、安価で、製作も容易である、という数々の利点も有する。
【発明の効果】
【００１８】
以上のように本発明竹製ブーメランは、複数の羽根の基部を、維管束の方向に直交する側への曲げの力に対して抗し得る構成にするとともに、この基部相互を接合させ、かつその接合箇所にＦＲＰ処理をすることで、竹固有の課題を解消させたものである。
また本発明竹製ブーメランは、素材が竹であり、ＦＲＰそのものが軽量、強靭であることから、軽量で操作が容易であり、しかも安価に製作できる利点を有しているものである。
【図面の簡単な説明】
【００１９】
【図１】２枚羽根で作製した本発明竹製ブーメランの実施形態に係る説明図で、（Ａ）はこの実施形態の基本体を示す説明図、（Ｂ）は基本体を構成する２枚羽根の各基部を示す拡大説明図、（Ｃ）は（Ａ）のＣ―Ｃ線拡大断面図、（Ｄ）は（Ａ）のＤ−Ｄ線拡大断面図
【図２】２枚羽根の本発明竹製ブーメランの実施形態に係るもので、（Ａ）は羽根の基部を接合した基本体の接合箇所を中心に表し、その接合箇所にガラス繊維を載せ、さらにプラスチックを湿潤させた状態を示す説明図、（Ｂ）は（Ａ）のＢ−Ｂ線における断面図
【図３】３枚羽根で作成した本発明竹製ブーメランの実施形態に係る説明図で、（Ａ）はこの実施形態の基本体を示す説明図、（Ｂ）はこの基本体を構成する３枚羽根の各基部を示す拡大説明図、（Ｃ）は（Ａ）のＣ−Ｃ線拡大断面図
【図４】竹を使用してブーメランを作製する場合に陥る誤りの具体例を示す説明図であり、（Ａ）は基部を直線状に作成した竹製羽根の基部相互を固着した例を示す説明図、（Ｂ）はこのブーメランを使用して羽根の接合が破断したときの状態を示す説明図
【図５】竹を使用してブーメランを作成する場合に陥る誤りの具体例を示す説明図で、（Ａ）は基部を木材で使用される接合構造を利用して接合した例を示す説明図、（Ｂ）はこのブーメランを使用して羽根の接合が破壊されたときの状態を示す説明図  なお上記図面においては、素材である竹の特性を明らかにするため、羽根表面に表われる維管束を明示している。
【発明を実施するための形態】
【００２０】
本発明は、基部を特殊な形状にした竹製の羽根を複数用意し、これらの羽根の基部相互を接合して基本体を作製し、この基本体の接合箇所を、ガラス繊維を湿潤させたプラスチックで覆うことで、竹固有の問題である「維管束の方向に直交する側への曲げの力に弱い」という課題を解消するとともに、軽量、堅牢で、操作がし易く、安価な竹製ブーメランを提供するものである。
【００２１】
以下本発明を実施するための形態について、図１〜図３により説明する。
（この図１〜図３においては、素材である竹の特性を明らかにするために、羽根３、４、２０，２１，２２の表面に表われる維管束２を明示するようにしている）
図１は、（Ａ）で２枚の羽根３、４を接合して作製した２枚羽根ブーメランの実施形態の基本体１を示すもので、（Ｂ）は２枚の各羽根２、３を左右個別に並べ、その基部を拡大して示した図であり、（Ｃ）、（Ｄ）はブーメランの羽根の断面形状を示すもので、（Ｃ）は（Ａ）におけるＣ−Ｃ線の拡大断面図、（Ｄ）は（Ａ）におけるＤ−Ｄ線の拡大断面図である。
【００２２】
２枚羽根ブーメランの実施形態の基本体１は、それを構成する羽根３，４の接合により作製する。
すなわち２枚羽根ブーメランの実施形態の基本体１は、維管束２の方向に沿って横長に作製した羽根３と羽根４の基部５，１２を接合することで、接合部が約９０度（直角）のＬ字形ブーメランを作製するものである。
【００２３】
羽根３の基部５（後記する短辺部８）と羽根４の基部１２（後記する短辺部１５）とは、その主要部が、全体が概ね約４５度の角度となるようにして直角形状の突出角部１０，１７と、直角形状の凹陥角部１１，１８とを階段状に連ならせたもので、この基部５、１２（短辺部８、１５）を組み合わせて接合させるものである。
【００２４】
具体的には、羽根３の基部５（左側の短辺部８）では、直角形状の突出角部１０に続いた下方に直角形状の凹陥角部１１を階段状に形成し、他方の羽根４の基部１２（右側の短辺部１５）には羽根３の基部５（左側の短辺部８）とは反対に、直角形状の凹陥角部１８を上方にし、その下方に直角形状の突出角部１７を階段状に形成する。
【００２５】
そこで全体が概ね約４５度の傾斜角で作製した基部５、１２（短辺部８、１５）を接合するとき、基部５（短辺部８）の直角形状の突出角部１０と、基部１２（短辺部１５）の直角形状の凹陥角部１８とが接合し、基部５（短辺部８）の直角形状の凹陥角部１０に、基部１２（短辺部１５）の直角形状の突出角部１７が接合することで、約９０度（直角）の接合ができ、Ｌ字形の２枚羽根ブーメランの基本体１が作製される。
【００２６】
次に２枚羽根のうち、一方の羽根３の構成について説明する。
なお、この羽根３の基部５（短辺部８）の形状については、図１（Ｂ）の右側に表した拡大図により説明する。
【００２７】
羽根３は、維管束２の方向に直交する線で切り取った右側の短辺部９と、維管束２の方向に対し全体として概ね約４５度の傾斜した辺である左側の短辺部８、および維管束２の方向に平行な上辺部６と下辺部７とから形成する。（下辺部７は左側の短辺部８が全体として内側即ち右側に概ね約４５度傾斜していることから、上辺部６よりも長さは短く作製される）
そして左側の短辺部８は、階段状に連接した直角形状の突出角部１０、直角形状の凹陥角部１１を有するもので、他方の羽根４の基部１２（右側の短辺部１５）と接合する基部５とする。
【００２８】
そしてこの基部５となる左側の短辺部８は、５個の小直辺部８ａ、８ｂ、８ｃ、８ｄ、８ｅから成り、小直辺部８ａ、８ｅは維管束２の方向に対して約４５度の傾斜した辺部で、また小直辺部８ｂ、８ｄは維管束２の方向に対して直交する垂線の辺部であり、この小直辺部８ｂ、８ｄの間には維管束２の方向に対して平行な辺部である小直辺部８ｃを設けたものである。
【００２９】
したがって短辺部８（羽根３の基部５）には、小直辺部８ａと小直辺部８ｅの間に、直角形状の突出角部１０（維管束２の方向に直交する小直辺部８ｂと維管束２の方向に平行する小直辺部８ｃから成る）と、その下方に直角形状の凹陥角部１１（維管束２の方向に平行な小直辺部８ｃと維管束２の方向に直交する小直辺部８ｄから成る）とを階段状にして設け、全体として約４５度の角度を持った階段状の辺としたことが特徴となっている。
【００３０】
これは、維管束２の方向に平行な小直辺部８ｃの両端には、この小直辺部８ｃを挟み込むように維管束２の方向に直交する小直辺部８ｂと小直辺部８ｄとを繋げ、かつこの小直辺部８ｂ、８ｄを上辺部６、下辺部７に連なる小直辺部８ａ、８ｅに繋げて構成することで、維管束２の方向に平行な辺部である小直辺部８ｃを、維管束２の方向に直交する曲げの力に対抗し得る構成としたことを示すものである。
【００３１】
このようにして２枚の羽根３，４のうちの一方の羽根３を作製し、別の他方の羽根４は以下のようにして作製する。
なお、この羽根４の基部１２（短辺部１５）の形状については、図１（Ｂ）の左側に表した拡大図により説明する。この図１（Ｂ）の拡大図は、羽根３との接合時を表す図１（Ａ）の状態とは異なり、この羽根４を４５度左上方に回して水平にしたときの状態を示している。
【００３２】
羽根４は、図１からも明らかなように、基本体１を作製するときに前記羽根３の基部５（短辺部８）と、これに接合する羽根４の基部１２（短辺部１５）とが約９０度（ほぼ直角）で接合できるように、その基部１２（短辺部１５）の形状を作製していることに特徴がある。
【００３３】
すなわち羽根４の上辺部１３と下辺部１４は、羽根３の上辺部６、下辺部７と同じく維管束２の方向に平行な辺部で、またこの羽根３の上辺部６、下辺部７と同一の長さにする。また左側の短辺部１６については羽根３の右側の短辺部９と同じく維管束２の方向に直交した辺部で、この羽根３の短辺部９と同一の長さに作製する。
しかし、羽根４の基部１２となる右側の短辺部１５は、羽根３，４を各基部５，１２で約９０度（ほぼ直角）の角度で緊密に接合できるように、以下のような形状に作製する。
【００３４】
すなわち、羽根４の基部１２である右側の短辺部１５を構成する小直辺部１５ａ〜１５ｅについては、羽根３の基部５である短辺部８を構成する小直辺部８ａ〜８ｅに対して、各対応する小直辺部１５ａ〜１５ｅの長さを同一にし、また羽根３の直角形状の突出角部１０（小直辺部８ｂと小直辺部８ｃとで形成）に対応する羽根４の直角形状の凹陥角部１８（小直辺部１５ｂと小直辺部１５ｃとで形成）の角度、および羽根３の凹陥角部１１（小直辺部８ｃと小直辺部８ｄとで形成）に対する羽根４の突出角部１７（小直辺部１５ｃと小直辺部１５ｄとで形成）の角度を同一にするとともに、傾斜辺である小直辺部８ａ、１５ａと小直辺部８ｅ、１５ｅについては、傾斜方向を逆方向にし、かつ長さ、傾斜角度を同一にして作製する。
【００３５】
さらに上記短辺部１５について以下に説明する。
短辺部１５は概ね全体として左側下方に約４５度傾けた角度で作製したもので、５個の小直辺部１５ａ、１５ｂ、１５ｃ、１５ｄ、１５ｅから成り、小直辺部１５ａ、１５ｅは維管束２の方向に対して約４５度の傾斜した辺部で作製し、小直辺部１５ｃは維管束２の方向に対して約９０度（ほぼ直角）の辺部で、また小直辺部１５ｂ、１５ｄは維管束２の方向に対してほぼ平行な辺部で切り取るものである。
【００３６】
したがって短辺部１５（羽根４の基部１２）には、小直辺部１５ａと小直辺部１５ｅの間に、直角形状の凹陥角部１８（維管束２の方向に平行な小直辺部１５ｂと維管束２の方向に直交する小直辺部１５ｃから成る）と、その下方に直角形状の突出角部１７（維管束２の方向に直交する小直辺部１５ｃと維管束２の方向に平行な小直辺部１５ｄから成る）とを階段状にして設け、全体として約４５度の角度を持った階段状の辺部としたことが特徴となっている。
【００３７】
これは、維管束２の方向に平行な小直辺部１５ｂの両端には、この小直辺部１５ｂを挟み込むように維管束２の方向と約４５度の辺部である小直辺部１５ａと維管束２の方向に直交する小直辺部８ｃとを臨ませ、また他の維管束２の方向に平行な小直辺部１５ｄに対しては、維管束２の方向に直交する小直辺部１５ｃと維管束２の方向と４５度の角度の辺部である小直辺部１５ｅが挟み込むように作製されるため、維管束２の方向に平行な辺部である小直辺部１５ｂ、１５ｄに対しては、維管束２の方向に直交する曲げの力が加えられてもこれに対抗できる構成としたものである。
【００３８】
前記した羽根３と羽根４は、これらの基部５（短辺部８）と基部１２（短辺部１５）とを接合して竹製２枚羽根ブーメランの実施形態の基本体１を作製する。
【００３９】
これは図１（Ｂ）の拡大図で示した羽根４の基部１２を右側に４５度回して、羽根３の基部５に接合することで行う。
このとき、この小直辺部８ａ〜８ｅと小直辺部１５ａ〜１５ｅとは各対応する小直辺部同士（８ａと１５ａ、８ｂと１５ｂ、８ｃと１５ｃ、８ｄと１５ｄ、８ｅと１５ｅ）が同一の寸法で作製され、対応する羽根３の突出角部１０と羽根４の凹陥角部１８および羽根３の凹陥角部１１と羽根４の突出角部１７とが同一の角度に作製されているため、羽根３の短辺部８（基部５）と羽根４の短辺部１５（基部１２）とは緊密に接合する。この接合には接着剤を使用して両羽根３，４の結合を強固にかつ緊密に行う。
【００４０】
このようにして羽根３と羽根４により、図１（Ａ）で示したような約９０度の角度で接合された竹製２枚羽根ブーメラン（Ｌ字形ブーメラン）の実施形態に係る基本体１が作製される。
【００４１】
この基本体１は、竹の特性であり、脆弱性のされる「維管束２の方向に直交する側への曲げの力に弱い」という課題に対しては、各羽根３，４自体の対応と合わせて十分な対抗策を講じている。
【００４２】
すなわち前記竹固有の問題（脆弱さ）は、前記したように、維管束２の方向に平行な辺部（羽根３の短辺部８の小直辺部８ｃ、および羽根４の短辺部１５の小直辺部１５ｂと小直辺部１５ｄ）に対しては、小直辺部８ｃについては、その両端の維管束２の方向に直交する小直辺部８ｂと小直辺部８ｄで支え、小直辺部１５ｂ、小直辺部１５ｄについては、その両端の、維管束２の方向と４５度の角度の辺部である１５ａ、１５ｅと、維管束２の方向に直交する小直辺部１５ｃで支える構成にしていることにより、羽根３，４自体でその対応を講じている。
【００４３】
また羽根３，４が接合して基本体１を構成したときには、この小直辺部８ｃ、１５ｂ、１５ｄは、図１（Ａ）で明らかなように、それぞれ接着剤で接合した相手方の羽根３，４の短辺部８，１５と固着しているために、両者の緊密な接合によって、維管束２の方向に直交する曲げの力に十分対抗できる状態を作成している。
【００４４】
なお、この基本体１では右利きの人用のブーメランを意図しているため、使用するとき（投擲するとき）には、その基本体１は左側の羽根４を上側にし、右側の羽根３は下側に構えて投擲する。
そのため羽根４の断面は、図１（Ｃ）で示すように下面は平面にするが、上面は投擲方向側（上辺部４側）を厚くし、反投擲方向側（下辺部５側）を薄くなるような、なだらかな曲面に形成する。  また羽根３の断面は図１の（Ｄ）で示しているが、下面は平面とするが、上面は投擲方向側（上辺部４側）を厚くなるようにし、反投擲方向側（下辺部５側）を薄くなるようにして、なだらかな曲面に形成する。これは羽根４，３の上下面に流れる空気量の差を利用して羽根４，３に上向きの揚力を生じさせるためである。（左利きの人用のブーメランの場合には、この上側、下側の形が逆になる）
【００４５】
また図１においては示されていないが、取扱いのし易さや安全上の観点から、基部５，１２の接合部の上側や、基部５，１２の反対側の上下の隅（角）を湾曲面にする。
【００４６】
以上のようにして作製した基本体１は、図２で示すようなＦＲＰによる加工処理を施すことで、本発明竹製ブーメランとしての特性を倍加させる働きを奏する。
【００４７】
すなわち図２で示したように、２枚の羽根３，４の基部５，１２を接合した基本体１の接合部に、ガラス繊維（ガラスクロスもしくはガラスマット）３０を載せ、このガラス繊維３０に硬化剤を適量混ぜたＦＲＰ用ポリエステル樹脂のようなプラスチック３１を湿潤させて乾燥することで、竹製ブーメランを作製するものである。この基本体１の接合部を覆うガラス繊維３０を湿潤させたプラスチック３１は、基本体１接合部の表裏両面に施すものとする。
【００４８】
このガラス繊維３０にプラスチック３１を湿潤させたＦＲＰ（繊維強化プラスチック）は、それ自体が軽量で、強度が高く、安価であるため、前記した特殊な構成の２枚羽根３，４の竹製ブーメランの基本体１をさらに強固なものにするものである。
【００４９】
特にこの竹製２枚羽根ブーメランは、羽根３，４の基部５，１２を接合した基本体１に、ＦＲＰ処理を施すものであるため、本来竹で製作したブーメランがその特性として保有していた「維管束２の方向に直交する曲げの力に対して脆弱であるという欠点」に対して、羽根３，４の基部５，１２の構成と、この羽根３，４の基部５，１２を接合した基本体１の構成、およびこの基本体１の基部５，１２の接合部を覆う強靭なＦＲＰによって克服したものである。
【００５０】
したがって、この竹製２枚羽根ブーメランの実施形態は、竹製ブーメランの避けられない課題を解決したことのほかに、竹が本来有する軽量と堅牢さ、扱いやすさ、安価というメリットをも奏するものである。
【００５１】
次に図３により、３枚羽根の竹製ブーメランの実施形態について説明する。
図３は、（Ａ）で３枚の羽根２０、２１，２２を接合して作製した３枚羽根ブーメランの実施形態に係る基本体１９を示すもので、（Ｂ）は３枚の羽根のうち１枚の羽根２０について示し（他の羽根２１，２２はこれと同一形状のため、その説明は省略する）、その基部２３を拡大して示した図であり、（Ｃ）は（Ａ）のＣ−Ｃ線断面図であり、ブーメランの羽根２０の断面形状を示したものである。
【００５２】
３枚羽根ブーメランの基本体１９は、同一形状の３枚の羽根２０，２１，２２を、各羽根２０〜２２の接合箇所となる基部２３の中心線を約１２０度の角度をもたせて接合したものである。すなわち３枚羽根のブーメランは、維管束２の方向に沿って横長に作製した羽根２０、２１，２２の基部２３を接合することで、接合部の角度が約１２０度のブーメランの基本体１９を作製するものである。
【００５３】
この基本体１９を構成する羽根２０、２１、２２について、その具体的構成を説明する。
この羽根２０〜２２の構成の説明は、３枚の羽根２０〜２２が同一の構成のため、一つの羽根２０について説明し、この説明内容を他の羽根２１，２２に準用することにして、羽根２１，２２の説明は省略する。
【００５４】
以下羽根２０について説明する。
羽根２０の長辺である上下の辺部２４，２５（上辺部２４に対し下辺部２５の方が短い）は竹の維管束２の方向に平行な面で切り取り、その羽根２０の左右の辺部となる短辺部２６，２７については、一方の左側の短辺部２６は、山形状の突出部分２８と、この山形状突出部分２８に繋がるＶ字状凹陥部分２９を設けた形状で切り取り、また他方の右側の短辺部２７は、維管束２の方向に直交する辺部で切り取ったものである。
【００５５】
なお前記した山形状突出部分２８とＶ字状凹陥部分２９とは、それぞれが１８０度反転させた同一形状であって、山形状突出部分２８は裾野を広げた山の形状で、Ｖ字状凹陥部分２９はこの山形状突出部分２８を１８０度反転させた形で、上部を広げたＶ字の形状である。
【００５６】
すなわち羽根２０は、上下の各上辺部２４と下辺部２５を平行の辺部とし、右側の短辺部２７を直線の辺部とし、左側の短辺部２６すなわち羽根２０の基部は、上側に山形状突出部２８とこれに繋がるＶ字状凹陥部分２９を作製したものである。
【００５７】
そして左側の短辺部２６は、４個の小直辺部２６ａ、２６ｂ、２６ｃ、２６ｄを山形状の突出部分２８とＶ字状凹陥部分２９になるように繋げた形に形成する。前記小直辺部２６ａ、２６ｂ、２６ｃ、２６ｄのうち、最上部の小直辺部２６ａは、維管束２の方向に対して約６０度の角度で、かつ上辺部２４の左端部から約１２０度の角度で左下方に切り取り、その下端は、維管束２の方向に対して約６０度の角度で右下方に切り取る小直辺部２６ｂの上端に繋がる（小直辺部２６ａの下端と小直辺部２６ｂの上端によって約１２０度の角度を持つ山形状の突出部分２８が形成される）もので、この小直辺部２６ｂはその下端を、維管束２の方向と平行な面である小直辺部２６ｃの左端に繋がり、この小直辺部２６ｃの右端は維管束２の方向に対して約６０度の角度で、その下端を下辺部２６の左端部に繋がった小直辺部２６ｄに繋がる辺部を作製するものである。（この小直辺部２６ｃと小直辺部２６ｄとの繋がりによって約１２０度の角度のＶ字状凹陥部分２９が形成される）
【００５８】
したがって、羽根２０の左端部に形成される山形状の突出部分２８とその下方に繋がるＶ字状凹陥部分２９を有した基部２３は、小直辺部２６ａ〜２６ｄにより成る短辺部２６により形成されるものである。
【００５９】
そして３枚羽根となる他の羽根２１，２２は前記した羽根２０と同じ形状に作製するもので、図３においては、各羽根２０〜２２の各構成部分の名称、符号は同一のものを使用する。
【００６０】
３枚羽根のブーメラン実施形態の基本体１９は、各羽根２０〜２２の各基部２３を接合することで作製する。
この場合３枚の羽根２０〜２２は、各基部２３を接合するとき隣り合う各基部２３相互を噛み合うように接合する。具体的には基部２３の山形状突出部分２８を、隣となる羽根のＶ字状凹陥部分２９に差し込むようにしてゆけば、３枚の羽根２０〜２２が約１２０度の角度で接合でき、３枚羽根のブーメランの基本体１９を作製することができる。（このとき接着剤を使用して各羽根２０〜２２の固着を確保する）
【００６１】
なおこれら３枚の羽根２０〜２２の断面については、図３（Ｃ）で示したように前記した２枚羽根２，３における断面と同じく、羽根２０〜２２の上面について、投擲した時その投擲方向となる側（上辺部２４となる側）を厚くし、反投擲側になる側（下辺部２５側）を薄くさせ、その間をなだらかな面とする。
【００６２】
以上のようにして、竹製３枚羽根ブーメランの実施形態に係る基本体１９は作製されるが、この基本体１９の羽根２０〜２２の接合箇所である基部２３が、山形状突出部分２８とＶ字状凹陥部分２９という形状で作製したものであるため、この基部２３の形状は維管束２の方向に直交する曲げの力に対して十分抗し得る構成である。
【００６３】
そしてこの竹製３枚羽根のブーメランも、前記２枚羽根ブーメランと同じくその基部２３の接合箇所を、図２で示したようにＦＲＰで覆うものである。
このＦＲＰ処理を基本体１９に施すことによって、竹製３枚羽根のブーメランも「維管束の方向に直交する側の曲げの力に対して脆弱である」という竹固有の欠陥を解消できる。
また竹製のブーメランが本来有する軽量さ、堅牢さ、扱いやすさ、安価というメリットを奏するものである。
【００６４】
以上のように本発明竹製ブーメランは、竹を維管束の方向に沿って横長に作製した複数の羽根の一端に、維管束の方向に直交する側への曲げの力に対して抗し得る形状の基部を形成し、この複数の羽根の基部相互を接着剤により接合して基本体を作製するとともに、この基本体の接合箇所を、ガラス繊維を湿潤させたプラスチックで覆うことを特徴としたものであり、竹を使用してブーメランを作製したときに避けることができなかった課題である「維管束の方向に直交する側に加わる曲げの力に弱い」という問題を解決したものである。
すなわち羽根相互を接合して作製するブーメランの羽根自体はもとより、この羽根を接合して得られる基本体、およびこの基本体をＦＲＰで覆ったブーメランも、この課題を解消したものである。
【００６５】
しかもこの本発明ブーメランでは、具体的に、複数の羽根の基部を、中央に維管束の方向に平行な辺部を配するとともに、その両側に維管束の方向に直交する辺部を隣接することで形成した階段状の突出角部と凹陥角部を有する構成とし、一方の羽根の突出角部と相手方の羽根の凹陥角部を接合し、また一方の羽根の凹陥角部と相手方羽根の突出角部とを接合させて基本体を作製し、この基本体にＦＲＰ処理を施すことで前記課題を解決している。
【００６６】
また本発明は、複数の羽根の基部を、維管束の方向に対して傾斜した二つの辺部を山形状に接続した山形状突出部分と、この山形状突出部分を１８０度反転させた形状で、この山形状突出部分と同じく維管束の方向に対して傾斜した二つの辺部を接続してなるＶ字状凹陥部分とを連接した構成とし、一つの羽根の山形状突出部分を隣接する羽根のＶ字状凹陥部分に接合するとともに、一つの羽根のＶ字状凹陥部分を隣接する山形状突出部分に接合させて基本体を作製させ、この基本体にＦＲＰ処理を施して前記課題を解決したものである。
【００６７】
以上のように本発明はブーメランに竹を使用する場合に最大の問題となる課題を解消し、かつ竹が本来有する軽量さ、高い堅牢性、加工の容易さなどの特性を有するものである。
【符号の説明】
【００６８】
１    基本体（２枚羽根の）
２    維管束（全図共通）
３    羽根（２枚羽根の一方）
４    羽根（２枚羽根の他方）
５    基部（２枚羽根の一方）
６    左側短辺部（２枚羽根の一方）
１０  突出角部（２枚羽根の一方）
１１  凹陥各部（２枚羽根の一方）
１２  基部（２枚羽根の他方）
１５  右側短辺部（２枚羽根の他方）
１７  突出角部（２枚羽根の他方）
１８  凹陥角部（２枚羽根の他方）    
１９  基本体（３枚羽根の）
２０  羽根（３枚羽根の）
２１  羽根（３枚羽根の）
２２  羽根（３枚羽根の）
２３  基部（３枚羽根の）
２７  右側短辺部（３枚羽根の）
２８  山形状突出部分（３枚羽根の）
２９  Ｖ字状凹陥部分（３枚羽根の）
３０  ガラス繊維（ＦＲＰの）
３１  プラスチック（ＦＲＰの）
【図１】
2017023308.tif 000003
【図２】
2017023308.tif 000004
【図３】
2017023308.tif 000005
【図４】
2017023308.tif 000006
【図５】
2017023308.tif 000007